(57)【要約】【課題】異なるベンダ仕様の各種の伝送装置を有する拠点間が光ファイバで接続されて成るディスアグリゲーション型の光伝送システムにおいて、その光ファイバに要求された波長が割り当てられるように、当該光ファイバの両拠点の伝送装置に容易に波長情報の設定を行う。【解決手段】光伝送システム３０は、少なくとも、光ファイバ１７に所定の光信号の波長が割り当てられたＮＷ構成の情報を記憶する設備ＤＢ３４と、設備ＤＢ３４内に、拠点間の光ファイバ１７への波長割当要求によるＮＷ構成と同じＮＷ構成の情報が無い場合、ベンダの管理番号、波長が対応付けられたベンダ情報を基に、異ベンダで共通使用可能な波長に管理番号を対応付け、この波長が光ファイバ１７に割当可能な場合に、当該管理番号で波長割当指示を行う波長割当部３２ｆと、波長割当指示に応じて光ファイバ１７の両拠点の伝送装置に波長割当設定を行う波長設定部３３を備える。【選択図】図１
2020031310.tif 000002
【特許請求の範囲】
【請求項１】
異なるベンダ仕様の各種の伝送装置を有する拠点間が光ファイバで接続されて成るディスアグリゲーション型の光伝送システムであって、
少なくとも、前記光ファイバに所定の光信号の波長が割り当てられたＮＷ（Network）構成の情報を記憶するＤＢ（Data Base）と、
前記拠点間の光ファイバへの波長割当要求時に、前記ＤＢ内に、当該波長割当要求によるＮＷ構成と同じＮＷ構成の情報が無い場合、ベンダの管理番号と、ベンダが使用可能な波長と、当該波長に対応付けられたベンダ情報を基に、異なるベンダで共通に使用可能な波長に前記管理番号を対応付け、当該管理番号が対応付けられた波長が前記光ファイバに割り当て可能な場合に、当該管理番号で波長割当指示を行う波長割当部と、
前記波長割当指示による波長が前記光ファイバに割り当てられるように、当該光ファイバの両拠点の伝送装置に波長情報の設定を行う設定部と
を備えることを特徴とする光伝送システム。
【請求項２】
前記波長割当部は、
前記管理番号を対応付けた波長が前記光ファイバに割り当て不可能な場合に、他の管理番号が対応付けられた波長が前記光ファイバに割り当て可能か否かの判定を繰り返し、割り当て可能と判定された波長に対応付けられた管理番号で波長割当指示を行う
ことを特徴とする請求項１に記載の光伝送システム。
【請求項３】
異なるベンダ仕様の各種の伝送装置を有する拠点間が光ファイバで接続されて成るディスアグリゲーション型の光伝送システムによる波長割当方法であって、
前記光伝送システムは、
少なくとも、前記光ファイバに所定の光信号の波長が割り当てられたＮＷ構成の情報を記憶するＤＢと、波長割当部と、設定部とを備え、
前記波長割当部は、
前記拠点間の光ファイバへの波長割当要求時に、前記ＤＢ内に、当該波長割当要求によるＮＷ構成と同じＮＷ構成の情報が無い場合、ベンダの管理番号と、ベンダが使用可能な波長と、当該波長に対応付けられたベンダ情報を基に、異なるベンダで共通に使用可能な波長に前記管理番号を対応付け、当該管理番号が対応付けられた波長が前記光ファイバに割り当て可能な場合に、当該管理番号で波長割当指示を行うステップを実行し、
前記設定部は、
前記波長割当指示による波長が前記光ファイバに割り当てられるように、当該光ファイバの両拠点の伝送装置に波長情報の設定を行うステップ
を実行することを特徴とする波長割当方法。
【発明の詳細な説明】
【技術分野】
【０００１】
本発明は、ベンダ毎に仕様が異なる各種伝送装置を備える拠点間の光ファイバに割り当てる波長を管理するディスアグリゲーション型の光伝送システム及び波長割当方法に関する。
【背景技術】
【０００２】
現在、拠点間で通信を行う場合、図５に示すオールインワン型の光伝送システム１０が適用されている。この光伝送システム１０は、２拠点のＡビル（ビルディング）１１及びＢビル１２の各々が、複数のＴＲＤ（Transponder）１３ａ，１３ｂと、ＭＵＸ（Multiplexer）／ＤＭＵＸ（DeMUX）１４と、ＯＸＣ（optical cross-connect）１５とを組み合わせて収容した通信ユニット１６を備え、Ａビル１１とＢビル１２のＯＸＣ１５間が光ファイバ１７で接続されている。通信ユニット１６は、所定波長の光信号を光ファイバ１７に伝送する伝送装置である。
【０００３】
光伝送システム１０では、Ａビル１１及びＢビル１２の通信ユニット１６に収容された全てのＴＲＤ１３ａ，１３ｂ、ＭＵＸ／ＤＭＵＸ１４及びＯＸＣ１５が同一ベンダＶの仕様となっている。
【０００４】
ＯＸＣ１５は、光ファイバ１７においてデータ伝送のための光通信路をスイッチングにより自由に設定することができる装置である。このＯＸＣ１５では、通信の用途や伝送速度毎に形式の異なるデータ伝送経路が存在していた場合でも、データ信号を別の経路に出力することが可能となっている。
【０００５】
ＴＲＤ１３ａ，１３ｂは、図示せぬユーザのパソコン（パーソナルコンピュータ）、ルータ、スイッチ等の通信機器に接続される中継装置であり、所望の通信機器（図示せず）がＴＲＤ１３ａ，１３ｂを介してＡビル１１及びＢビル１２間で通信可能となっている。
【０００６】
ＭＵＸ／ＤＭＵＸ１４におけるＭＵＸは、複数の信号を多重化して１つの信号として出力し、ＤＭＵＸは１つの信号を分岐して複数の信号として出力する。
【０００７】
このオールインワン型の光伝送システム１０において、Ａビル１１とＢビル１２間の光ファイバ１７に伝送される複数の光信号の波長を管理する場合について説明する。
【０００８】
図６に示すように、光伝送システム１０は、ベンダＶが使用する各波長を管理番号毎に管理する波長管理部３２Ａと、その管理された波長が光ファイバ１７に割り当てられるように、伝送装置である通信ユニット１６に当該波長の情報を設定する波長設定部３３と、管理テーブル３２Ｔとを更に備える。光伝送システム１０においては、光ファイバ１７に割り当てられた波長の光信号が各ビル１１，１２の通信ユニット１６間に伝送される。
【０００９】
なお、波長管理部３２Ａは、ＮＭＳ（Network Management System）やＯＳＳ（Operation Support System）等を用いて構成される。波長設定部３３は、ＥＭＳ（Element Management System）を用いて構成される。
【００１０】
波長設定部３３は、各ビル１１，１２の通信ユニット１６に光ファイバ等の制御線で接続されている。ここでは、波長設定部３３は、Ａビル１１の通信ユニット１６内のＭＵＸ１４ａと、各々異なる波長λ１〜λ４の光信号を出射するＬＤ（Laser Diode）１ａ〜１ｄとに接続されると共に、Ｂビル１２の通信ユニット１６内のＤＥＭＵＸ１４ｂと、各々異なる波長λ１〜λ４の光信号を受光するＰＤ（Photodiode）２ａ〜２ｄとに接続されている。
【００１１】
管理テーブル３２Ｔは、ベンダＶが使用する各波長の管理番号を保持している。例えば、波長λ１に管理番号＃１が対応付けられ、波長λ２に管理番号＃２が、波長λ３に管理番号＃３が、波長λ４に管理番号＃４が対応付けられている。
【００１２】
波長管理部３２Ａは、管理テーブル３２Ｔの管理番号＃１〜＃４単位で光ファイバ１７に割り当てる波長を指定する。この指定は、例えばオペレータの操作に応じて行われる。波長管理部３２Ａは、その指定された管理番号（例えば管理番号＃１）を波長設定部３３へ出力する。
【００１３】
波長設定部３３は、波長管理部３２Ａから管理番号＃１が入力された際に、管理テーブル３２Ｔを参照して管理番号＃１に対応付けられた波長λ１を検索する。更に、波長設定部３３は、その検索した波長λ１が光ファイバ１７に割り当てられるように通信ユニット１６に波長情報を設定する設定指示を、Ａビル１１のＬＤ１ａとＭＵＸ１４ａへ出力すると共に、Ｂビル１２のＤＥＭＵＸ１４ｂとＰＤ２ａ〜２ｄへ出力する。
【００１４】
これによって、各ビル１１，１２の通信ユニット１６に波長λ１が割り当てられ、各ビル１１，１２の通信ユニット１６間が、光ファイバ１７を介した波長λ１の光信号で通信可能となる。他の波長λ２〜λ４も同様に割り当てられて通信が可能となる。
【００１５】
近年、インターネットを介した動画配信、音声通話、ＳＮＳ（social networking service）等のマルチメディアを提供するサービスとしてのＯＴＴ（Over The Top）が存在する。このＯＴＴ主導により光伝送システムのオープン化が進んでいる。このため、今までのオールインワン型の光伝送システムに代え、後述のディスアグリゲーション型の光伝送システムが注目されている。
【００１６】
次に、ディスアグリゲーション型の光伝送システムは、オールインワン型の構成要素であるトランスポート機能、ＷＤＭ（Wavelength Division Multiplexing）機能、スイッチ機能、アクセス機能等の各種の機能を分離して組み合わせ、柔軟且つ迅速に通信サービスを提供する構成となっている。
【００１７】
図７にディスアグリゲーション型の光伝送システム２０の一構成例を示す。その光伝送システム２０では、Ａビル１１及びＢビル１２の各々に、複数のＴＲＤ１３ａ，１３ｂが収容された通信ユニット１６ａと、ＭＵＸ／ＤＭＵＸ１４及びＲＯＡＤＭ１８が収容された通信ユニット１６ｂとが配備され、Ａビル１１とＢビル１２のＲＯＡＤＭ１８間が光ファイバ１７で接続されている。更に、通信ユニット１６ａのＴＲＤ１３ａ，１３ｂと、通信ユニット１６ｂのＭＵＸ／ＤＭＵＸ１４とが光ファイバ１７ａ，１７ｂで接続されている。なお、ＭＵＸ／ＤＭＵＸ１４及びＲＯＡＤＭ１８は、この双方でＯＸＣ１５に対応する機能を有する。通信ユニット１６ａ，１６ｂが上記伝送装置である。
【００１８】
ディスアグリゲーション型の光伝送システム２０では、ＭＵＸ／ＤＭＵＸ１４及びＲＯＡＤＭ１８がベンダＶ１の仕様であり、ＴＲＤ１３ａがベンダＶ２の仕様のように、各々が異なるベンダ仕様となっている。
【００１９】
ＲＯＡＤＭ１８は、光信号を光のままで分岐又は挿入して多重化処理を行う。このＲＯＡＤＭ１８は、１本の光ファイバに複数の異なる波長の光信号を同時に乗せるＷＤＭ（Wavelength Division Multiplexing：波長分割多重）機能と略同等の機能を有する。
ディスアグリゲーション型の光伝送システムに係る技術として、非特許文献１〜４に記載のものがある。
【先行技術文献】
【非特許文献】
【００２０】
【非特許文献１】“光伝送システム「1FINITY」シリーズのラインアップを大幅拡充”，［online］,富士通株式会社，2016.3.23，［平成３０年８月３日検索］，インターネット〈URL:http://pr.fujitsu.com/jp/news/2016/03/23.html#footnote6〉
【非特許文献２】萩本和男，他２名，“早わかり講座 身近になる光ネットワーク（15）”，［online］,日経コミュニケーション，2006.6.15，［平成３０年８月３日検索］，インターネット〈http://tech.nikkeibp.co.jp/it/article/COLUMN/20060607/240199/?rt=nocnt〉
【非特許文献３】“1FINITY L100 Lambda Blade” ，［online］,富士通株式会社，［平成３０年８月３日検索］，インターネット〈https://walkerfirst.com/uploads/files/literature/Fujitsu%201FINITY%20L100.pdf〉
【非特許文献４】“BTI7800 Series Hardware Overview and Installation Guide - TechLibrary - Juniper Networks” ，［online］, Juniper，［平成３０年８月３日検索］，インターネット〈https://www.juniper.net/documentation/en_US/bti-series/bti7800/topics/reference/general/r-7800-cliref-optical-layer-wavelength-plan.html〉
【発明の概要】
【発明が解決しようとする課題】
【００２１】
ところで、上述したディスアグリゲーション型の光伝送システム２０は、Ａビル１１とＢビル１２間の光ファイバ１７に割り当てられる複数の光信号の波長の管理に当たって、図８に示すように、波長管理部３２Ａと、波長設定部３３ａ，３３ｂと、管理テーブル３２Ｔ１，３２Ｔ２とを更に備える。
【００２２】
一方の波長設定部３３ａは、ベンダＶ１に属し、Ａビル１１のベンダＶ１の通信ユニット１６ｂ内のＭＵＸ１４ａと、Ｂビル１２のベンダＶ１の通信ユニット１６ｂ内のＤＥＭＵＸ１４ｂとに光ファイバ等の制御線で接続されている。
【００２３】
他方の波長設定部３３ｂは、ベンダＶ２に属し、Ａビル１１のベンダＶ２の通信ユニット１６ａ内のＬＤ１ａ〜１ｄと、Ｂビル１２のベンダＶ２の通信ユニット１６ａ内のＰＤ２ａ〜２ｄに制御線で接続されている。
【００２４】
管理テーブル３２Ｔ１は、ベンダＶ１に属し、ベンダＶ１が使用する各波長の管理番号を保持している。ここでは、波長λ１に管理番号＃１が対応付けられ、波長λ２に管理番号＃２が、波長λ３に管理番号＃３が、波長λ４に管理番号＃４が対応付けられている。
【００２５】
管理テーブル３２Ｔ２は、ベンダＶ２に属し、ベンダＶ２が使用する各波長の管理番号を保持している。ここでは、波長λ１に管理番号＃４が対応付けられ、波長λ２に管理番号＃３が、波長λ３に管理番号＃２が、波長λ４に管理番号＃１が対応付けられている。
【００２６】
各管理テーブル３２Ｔ１，３２Ｔ２は、波長λと管理番号＃との対応関係が異なっている。このため、ビル１１，１２間の光ファイバ１７に波長λ１を割り当てるように伝送装置に波長情報を設定する場合、オペレータは、波長管理部３２ＡでベンダＶ１，Ｖ２毎の管理テーブル３２Ｔ１，３２Ｔ２を確認して設定操作を行う必要がある。
【００２７】
例えば、Ａビル１１のＭＵＸ１４ａとＢビル１２のＤＥＭＵＸ１４ｂに対しては、管理テーブル３２Ｔ１の波長λ１に対応付けられた管理番号＃１を指定し、Ａビル１１のＬＤ１ａ〜１ｄとＢビル１２のＰＤ２ａ〜２ｄに対しては、管理テーブル３２Ｔ２の波長λ１に対応付けられた管理番号＃４を指定する設定操作を行う必要がある。
【００２８】
その設定操作に応じて、ベンダＶ１の波長設定部３３ａは、管理テーブル３２Ｔ１を参照して管理番号＃１に対応付けられた波長λ１を検索し、この検索した波長λ１の情報の設定指示を、ＭＵＸ１４ａとＤＭＵＸ１４ｂとに出力する。ベンダＶ２の波長設定部３３ｂは、管理テーブル３２Ｔ２を参照して管理番号＃４に対応付けられた波長λ１を検索し、この検索した波長λ１の情報の設定指示を、ＬＤ１ａ〜１ｄとＰＤ２ａ〜２ｄとに出力する。
【００２９】
これによって、各ビル１１，１２の通信ユニット１６ａ，１６ｂに波長λ１の情報が設定され、各ビル１１，１２間が光ファイバ１７に伝送される波長λ１の光信号で通信可能となる。他の波長λ２〜λ４も同様に割り当てられて通信が可能となる。
【００３０】
しかし、上述したように、オペレータが波長管理部３２ＡでベンダＶ１，Ｖ２毎の管理テーブル３２Ｔ１，３２Ｔ２を各々確認して波長を割り当てる設定操作を行う必要があるので、波長情報の設定（波長設定ともいう）が複雑となる問題があった。
【００３１】
この波長設定の複雑な事例を、図９を参照して説明する。図９に示すように、ベンダとしてＡ社〜Ｆ社の６社が、１５２８．７７ｎｍ〜１５６６．７２ｎｍの波長に対応し、管理番号＃１〜＃９６に対応付けて管理している場合を例に挙げる。
【００３２】
Ａ社とＢ社は、高い方から低い順の波長１５６６．７２ｎｍ〜１５２８．７７ｎｍに、小さい方から大きい順の管理番号＃１〜＃９６を対応付けて管理している。この逆に、Ｃ社とＤ社は、低い方から高い順の波長１５２８．７７ｎｍ〜１５６６．７２ｎｍに、小さい方から大きい順の管理番号＃１〜＃９６を対応付けて管理している。
【００３３】
また、Ｅ社は、低い方からランダムな波長１５２８．７７ｎｍ〜１５６６．７２ｎｍに、小さい方から大きい順の管理番号＃１〜＃９６を対応付けて管理している。Ｆ社は、ランダムな波長１６０８．７６ｎｍ〜１５２９．９４ｎｍに、小さい方から大きい順の管理番号＃１〜＃９６以上の番号を対応付けて管理している。
【００３４】
このようにＡ社〜Ｆ社の６社のベンダが管理する管理番号と波長とが同じであったり、異なっていたりする場合、オペレータは波長設定を行うために、６社の管理テーブルを各々確認して設定操作を行う必要があるので、波長情報の設定が複雑となる。
【００３５】
次に、図１０に示すように、例えば波長が１１ｆ，１２ｆ，１３ｆ，１４ｆ，１５ｆ，１６ｆ，１７ｆ，１８ｆと一定量（第１量）ずつ大きくなる各波長に、１つずつ大きくなる管理番号＃１〜＃８を対応付けて、ベンダＶ１が管理しているとする。また、波長が１１ｆ，１３ｆ，１５ｆ，１７ｆ，１９ｆ，２１ｆ，２３ｆ，２５ｆと第１量の２倍（第２量）ずつ大きくなる各波長に、管理番号＃１〜＃８を対応付けて、ベンダＶ２が管理しているとする。
【００３６】
この場合に、各ビル１１，１２（図８）の通信ユニット１６ａ，１６ｂに波長設定を行う場合、例えば、ベンダＶ１の波長１２ｆは、ベンダＶ２には無いので共通に使えない。このことから、ベンダＶ１とベンダＶ２とで共通の波長しか設定できない。例えば、破線枠で囲むように、波長が１１ｆ，１３ｆ，１５ｆ，１７ｆの波長しか設定できない。このため、オペレータは、ベンダＶ１，Ｖ２毎の通信ユニット１６ａ，１６ｂで共通に利用できる波長を把握する必要があるので、波長情報の設定がより複雑となる。
【００３７】
本発明は、このような事情に鑑みてなされたものであり、異なるベンダ仕様の各種の伝送装置を有する拠点間が光ファイバで接続されて成るディスアグリゲーション型の光伝送システムにおいて、その光ファイバに要求された波長が割り当てられるように、当該光ファイバの両拠点の伝送装置に容易に波長情報の設定を行うことができる光伝送システム及び波長割当方法を提供することを課題とする。
【課題を解決するための手段】
【００３８】
上記課題を解決するための手段として、請求項１に係る発明は、異なるベンダ仕様の各種の伝送装置を有する拠点間が光ファイバで接続されて成るディスアグリゲーション型の光伝送システムであって、少なくとも、前記光ファイバに所定の光信号の波長が割り当てられたＮＷ（Network）構成の情報を記憶するＤＢ（Data Base）と、前記拠点間の光ファイバへの波長割当要求時に、前記ＤＢ内に、当該波長割当要求によるＮＷ構成と同じＮＷ構成の情報が無い場合、ベンダの管理番号と、ベンダが使用可能な波長と、当該波長に対応付けられたベンダ情報を基に、異なるベンダで共通に使用可能な波長に前記管理番号を対応付け、当該管理番号が対応付けられた波長が前記光ファイバに割り当て可能な場合に、当該管理番号で波長割当指示を行う波長割当部と、前記波長割当指示による波長が前記光ファイバに割り当てられるように、当該光ファイバの両拠点の伝送装置に波長情報の設定を行う設定部とを備えることを特徴とする光伝送システムである。
【００３９】
請求項３に係る発明は、異なるベンダ仕様の各種の伝送装置を有する拠点間が光ファイバで接続されて成るディスアグリゲーション型の光伝送システムによる波長割当方法であって、前記光伝送システムは、少なくとも、前記光ファイバに所定の光信号の波長が割り当てられたＮＷ構成の情報を記憶するＤＢと、波長割当部と、設定部とを備え、前記波長割当部は、前記拠点間の光ファイバへの波長割当要求時に、前記ＤＢ内に、当該波長割当要求によるＮＷ構成と同じＮＷ構成の情報が無い場合、ベンダの管理番号と、ベンダが使用可能な波長と、当該波長に対応付けられたベンダ情報を基に、異なるベンダで共通に使用可能な波長に前記管理番号を対応付け、当該管理番号が対応付けられた波長が前記光ファイバに割り当て可能な場合に、当該管理番号で波長割当指示を行うステップを実行し、前記設定部は、前記波長割当指示による波長が前記光ファイバに割り当てられるように、当該光ファイバの両拠点の伝送装置に波長情報の設定を行うステップを実行することを特徴とする波長割当方法である。
【００４０】
この構成によれば、異なるベンダ仕様の各種の伝送装置を有する拠点間が光ファイバで接続されて成るディスアグリゲーション型の光伝送システムにおいて、その光ファイバに要求された波長が割り当てられるように、当該光ファイバの両拠点の伝送装置に容易に波長情報の設定を行うことができる。
【００４１】
請求項２に係る発明は、前記波長割当部が、前記管理番号を対応付けた波長が前記光ファイバに割り当て不可能な場合に、他の管理番号が対応付けられた波長が前記光ファイバに割り当て可能か否かの判定を繰り返し、割り当て可能と判定された波長に対応付けられた管理番号で波長割当指示を行うことを特徴とする請求項１に記載の光伝送システムである。
【００４２】
この構成によれば、異なるベンダで共通に使用可能な、ある波長が光ファイバに割り当て不可能な場合でも、異なるベンダで共通に使用可能な他の波長を光ファイバに割り当てることができる。
【発明の効果】
【００４３】
本発明によれば、異なるベンダ仕様の各種の伝送装置を有する拠点間が光ファイバで接続されて成るディスアグリゲーション型の光伝送システムにおいて、その光ファイバに要求された波長が割り当てられるように、当該光ファイバの両拠点の伝送装置に容易に波長情報の設定を行うことができる光伝送システム及び波長割当方法を提供することができる。
【図面の簡単な説明】
【００４４】
【図１】本発明の実施形態に係るディスアグリゲーション型の光伝送システムの構成を示すブロック図である。
【図２】本実施形態のディスアグリゲーション型の光伝送システムにおける波長管理部の構成を示すブロック図である。
【図３】本実施形態に係る光伝送システムにおけるＡ−Ｂ区間の光ファイバに要求された波長が割り当てられるように通信ユニットに波長情報を設定する際の動作を説明するフローチャートである。
【図４】本実施形態に係る光伝送システムにおける波長割当処理の動作を説明するフローチャートである。
【図５】従来のオールインワン型の光伝送システムの構成を示すブロック図である。
【図６】従来のオールインワン型の光伝送システムの光ファイバに伝送される複数の光信号の波長を管理する構成を示すブロック図である。
【図７】従来のディスアグリゲーション型の光伝送システムの構成を示すブロック図である。
【図８】従来のディスアグリゲーション型の光伝送システムの光ファイバに伝送される複数の光信号の波長を管理する構成を示すブロック図である。
【図９】ベンダであるＡ社〜Ｆ社が所定間隔などに対応する波長に、管理番号を対応付けた管理テーブルの図である。
【図１０】各ベンダの所定間隔に対応する波長に、管理番号を対応付けた管理テーブルの図である。
【発明を実施するための形態】
【００４５】
以下、本発明の実施形態を、図面を参照して説明する。但し、本明細書の全図において機能が対応する構成部分には同一符号を付し、その説明を適宜省略する。
＜実施形態の構成＞
図１は、本発明の実施形態に係るディスアグリゲーション型の光伝送システムの構成を示すブロック図である。
【００４６】
図１に示すディスアグリゲーション型の光伝送システム３０は、通信の拠点であるＡビル１１及びＢビル１２の各々は、光ファイバ１７を介したデータ伝送（データ送受信）に必要な機能を有する伝送装置である各種の通信ユニット１６ａ，１６ｂを備える。通信ユニット１６ａには、ＴＲＤ１３が搭載され、通信ユニット１６ｂには、ＭＵＸ／ＤＭＵＸ１４及びＲＯＡＤＭ１８が搭載されている。
【００４７】
更に、光伝送システム３０は、サービスオーダ取得部（取得部ともいう）３１と、波長管理部３２と、波長設定部３３と、設備ＤＢ（Data Base）３４とを備える。波長管理部３２は、本実施形態の特徴要素である波長割当部３２ｆを有する。この光伝送システム３０は、例えば波長割当装置として、取得部３１、波長管理部３２、波長設定部３３及び設備ＤＢ３４を備える構成とすることもできる。
【００４８】
但し、ＴＲＤ１３はベンダＶ２の仕様、ＭＵＸ／ＤＭＵＸ１４とＲＯＡＤＭ１８はベンダＶ１の仕様と、各々が異なるベンダ仕様になっている。なお、設備ＤＢ３４は、請求項記載のＤＢを構成する。
【００４９】
取得部３１は、ユーザ管理等のビジネス面を支援するＢＳＳ（Business Support Systems）に基づき構成されている。この取得部３１は、ユーザからのサービスオーダ（後述）を受信して取得する。サービスオーダは、例えばＡビル１１のＲＯＡＤＭ１８とＢビル１２のＲＯＡＤＭ１８との区間（Ａ−Ｂ区間又は拠点間ともいう）の光ファイバ１７に、１０ＧＨｚの波長の光信号を１つ使用する（パスを１つ使用する）ために当該波長を割り当てて設定する等といったパス設定の申込依頼である。
【００５０】
波長管理部３２は、ネットワーク運用を支援するＯＳＳに基づき構成されており、Ａ−Ｂ区間の光ファイバ１７に要求された波長が割り当てられるように通信ユニット１６に設定されるベンダ毎の波長の情報を、管理番号で管理するものである。また、この波長管理部３２は、図２に示すように、情報取得部３２ａと、差分判定部３２ｂと、計算部３２ｃと、確定部３２ｄと、収容可能判定部３２ｅと、波長割当部３２ｆと、設定指示部３２ｇと、表示部３２ｈとを備えて構成されている。
【００５１】
情報取得部３２ａは、取得部３１（図１）が受信して取得したサービスオーダ情報（オーダ情報ともいう）Ｄ１と、設備ＤＢ３４に記憶された後述のＤＢ情報Ｄ２とを取得する。ＤＢ情報Ｄ２は、設備ＤＢ３４に記憶された光伝送システム３０におけるＡビル１１及びＢビル１２の名称等のビル固有情報、フロア情報、ＴＲＤ１３、ＭＵＸ／ＤＭＵＸ１４及びＲＯＡＤＭ１８等の各伝送装置の固有情報、各伝送装置のポート（後述）の情報、各伝送装置の接続情報及び波長数情報等の設備情報を含んでいる。
【００５２】
また、ＤＢ情報Ｄ２は、Ａ−Ｂ区間の光ファイバ１７に収容可能な波長リソースとしての波長数の情報を含んでいる。更に、ＤＢ情報Ｄ２は、光ファイバ１７に割り当てられるように通信ユニット１６ａ，１６ｂに設定される波長と管理番号との対の情報を含んでいる。
【００５３】
差分判定部３２ｂは、オーダ情報Ｄ１で申し込まれた光ファイバ１７への割り当て波長の波長数（波長リソース）と、ＤＢ情報Ｄ２による光ファイバ１７に収容可能な波長数との差分があるか否かを判定する。オーダ情報Ｄ１とＤＢ情報Ｄ２とが同じ波長数で差分が０の場合、差分判定部３２ｂでは差分無しと判定される。なお、オーダ情報Ｄ１の波長数がＤＢ情報Ｄ２の波長数よりも小さい場合も差分無しと判定される。
【００５４】
一方、オーダ情報Ｄ１の波長数が、ＤＢ情報Ｄ２の波長数よりも多い場合、差分判定部３２ｂでは差分有りと判定される。
【００５５】
計算部３２ｃは、差分判定部３２ｂで差分有りと判定された際に、オーダ情報Ｄ１に基づく光ファイバで収容可能な波長数（波長リソース）を得るための各伝送装置に必要な波長数を、次のように計算する。即ち、計算部３２ｃは、まず、各伝送装置である通信ユニット１６ａ，１６ｂの各々の固有情報を取得し、各々の伝送装置の数を集計する。次に、各伝送装置の接続構成を取得する。次に、各伝送装置のポートを取得し、ポート数を集計する。次に、各伝送装置の波長数を集計する。
【００５６】
つまり、計算部３２ｃが、オーダ情報Ｄ１に基づく、例えば１６台のＴＲＤでＡ−Ｂ区間の光ファイバに収容可能な１６波長を得るための各伝送装置に必要な波長数を計算する。この場合、まず、計算部３２ｃは、オーダ情報Ｄ１に基づく１６波長を得るために必要な伝送装置としてのＴＲＤ、ＭＵＸ／ＤＭＵＸ、ＲＯＡＤＭの各々の数を集計する。次に、計算部３２ｃは、その集計されたＴＲＤ、ＭＵＸ／ＤＭＵＸ、ＲＯＡＤＭの接続構成を求める。次に、計算部３２ｃは、その接続構成で使用されたＴＲＤ、ＭＵＸ／ＤＭＵＸ、ＲＯＡＤＭのポート数を集計する。
【００５７】
次に、計算部３２ｃは、その集計したポート数に基づき、ＴＲＤ、ＭＵＸ／ＤＭＵＸ、ＲＯＡＤＭにおいて収容可能な波長数を計算する。これによって、例えばＴＲＤの１６波長、ＭＵＸ／ＤＭＵＸの３２波長、ＲＯＡＤＭの３２波長が計算される。この計算された各波長数の内、最も少ないＴＲＤの１６波長に応じて、Ａ−Ｂ区間の光ファイバ１７に収容可能な１６波長が求められる。
【００５８】
確定部３２ｄは、計算部３２ｃで計算された各伝送装置の波長数及びＡ−Ｂ区間の光ファイバ１７の波長数を、波長リソースとして確定する。但し、確定部３２ｄは、差分判定部３２ｂで差分無しと判定された場合は、ＤＢ情報Ｄ２で示される現在の波長リソースを確定する。
【００５９】
収容可能判定部３２ｅは、確定部３２ｄで確定された各伝送装置の波長数及びＡ−Ｂ区間の光ファイバ１７の波長数が、ＤＢ情報Ｄ２に含まれる現状の各伝送装置及びＡ−Ｂ区間の光ファイバ１７で収容可能か否かを判定する。
【００６０】
例えば、確定部３２ｄで確定された各伝送装置の波長数がＤＢ情報Ｄ２に含まれる現状の各伝送装置で収容可能であると判定され、この際に、光ファイバ１７の収容可能な最大波長数が１６波長であると仮定すると、１６波長中、ＤＢ情報Ｄ２に係る１２波長が使用中で４波長分が余っている。そこで、既に差分判定部３２ｂで４波長の差分有りと判定されているので、その４波長が光ファイバ１７の余った４波長の帯域に収容可能となる。
【００６１】
一方、確定部３２ｄで確定された各波長数が、差分判定部３２ｂで差分無しと判定された際の波長数であれば、収容可能と判定される。
【００６２】
確定部３２ｄで確定された各波長数が、現状の伝送装置の波長数及び拠点間の光ファイバ１７の収容可能な波長数を超えていれば、収容可能判定部３２ｅは、その超えた波長数の伝送装置を増設する内容を表示部３２ｈに表示する。この表示をシステム管理者が見て伝送装置の増設を行うことになる。この増設が行われた場合、拠点間の光ファイバ１７の収容可能な波長数も増えるので、上記確定された波長数（波長リソース）割り当て可能となる。
【００６３】
波長割当部３２ｆは、収容可能判定部３２ｅで光ファイバ１７に波長数が収容可能と判定された際に、光ファイバ１７に要求された波長が割り当てられるように伝送装置としての通信ユニット１６ａ，１６ｂに波長情報を設定する指示を行う。この指示を行うための処理は後述の＜実施形態の動作＞で詳細に説明する。
【００６４】
設定指示部３２ｇは、波長割当部３２ｆの波長割り当てのための波長設定指示を行う設定指示情報Ｄ３を設定部３３（図１）へ出力する。
【００６５】
図１に示す設定部３３は、オーダ情報Ｄ１に基づく拠点間の光ファイバ１７に要求された波長が割り当てられるように、設定指示情報Ｄ３に応じた波長を該当伝送装置である通信ユニット１６ａ，１６ｂに設定する。
【００６６】
＜実施形態の動作＞
次に、本実施形態に係る光伝送システム３０におけるＡ−Ｂ区間の光ファイバ１７に、要求された波長が割り当てられるように通信ユニット１６ａ，１６ｂに波長情報を設定する際の動作を、図３及び図４のフローチャートを参照して説明する。
【００６７】
図３のステップＳ１において、取得部３１（図１）が、サービスオーダを受信し、この受信したオーダ情報Ｄ１を波長管理部３２（図２）の情報取得部３２ａへ出力したとする。但し、オーダ情報Ｄ１は、Ａ−Ｂ区間の光ファイバに要求する光信号の波長（波長リソース）を１又は複数割り当てるパス設定の依頼情報であるとする。
【００６８】
ステップＳ２において、波長管理部３２は波長リソース（波長λ１）を把握する処理を次のように行う。まず、情報取得部３２ａが、設備ＤＢ３４から上述したＤＢ情報Ｄ２を取得し、このＤＢ情報Ｄ２と上記オーダ情報Ｄ１を差分判定部３２ｂへ出力する。差分判定部３２ｂは、オーダ情報Ｄ１とＤＢ情報Ｄ２との光ファイバに割当可能な波長数の差分が有るか否かを把握する。この場合、オーダ情報Ｄ１の方が例えば１波長多い差分有りの場合、計算部３２ｃは、オーダ情報Ｄ１に基づくＡ−Ｂ区間の光ファイバで収容可能な波長数を得るために、各伝送装置に必要な波長数の計算を開始する。但し、Ａ−Ｂ区間の光ファイバによる経路は、図１に示す光ファイバ１７以外にも存在するため、現時点では光ファイバの符号を特定しない。
【００６９】
この計算は、まず、計算部３２ｃが、オーダ情報Ｄ１に基づく１波長を得るために必要なＴＲＤ、ＭＵＸ／ＤＭＵＸ、ＲＯＡＤＭの各々の数を集計する。この集計されたＴＲＤ、ＭＵＸ／ＤＭＵＸ、ＲＯＡＤＭの接続構成を求め、この接続構成で使用されたＴＲＤ、ＭＵＸ／ＤＭＵＸ、ＲＯＡＤＭのポート数を集計する。更に、計算部３２ｃは、その集計したポート数に基づき、Ａ−Ｂ区間の光ファイバに収容可能な波長数（波長リソース）を得るためのＴＲＤ、ＭＵＸ／ＤＭＵＸ、ＲＯＡＤＭに必要な波長数を計算する。これによって、ＴＲＤ、ＭＵＸ／ＤＭＵＸ、ＲＯＡＤＭの各波長が計算され、Ａ−Ｂ区間の光ファイバに収容可能な波長数（例えば１波長）が定められる。
【００７０】
この後、ステップＳ３において、確定部３２ｄは、上記ステップＳ２で計算された波長数（波長数＝１）を波長リソースとして確定する。
【００７１】
次に、ステップＳ４において、設備ＤＢ３４に記憶されたＤＢ情報Ｄ２の波長リソース（波長数）を更新する。即ち、収容可能判定部３２ｅは、上記確定部３２ｄで確定された１波長が、ＤＢ情報Ｄ２に含まれる現状の各伝送装置及びＡ−Ｂ区間の光ファイバで収容可能な場合、波長割当部３２ｆが、設備ＤＢ３４内のＤＢ情報Ｄ２を上記確定部３２ｄで確定された波長リソースに更新する。なお、光ファイバ１７で収容不可能な場合は、収容可能となるように通信ユニット１６ａ，１６ｂ内のＴＲＤ、ＭＵＸ／ＤＭＵＸ、ＲＯＡＤＭの増設が行われる。
【００７２】
次に、ステップＳ５において、波長管理部３２が、ＮＷ（Network）レギュレーションを決定する。つまり、複数の光ファイバの通過ルートを決定する。この例の場合、Ａ−Ｂ区間の光ファイバ１７（図１）に決定される。
【００７３】
次に、ステップＳ６において、波長管理部３２により光ファイバ１７への波長の割り当てが決定される。これは、ステップＳ６Ａにおいて、波長割当部３２ｆで波長割当処理が行われることで決定される。この波長割当処理を図４のフローチャートを参照して説明する。
【００７４】
図４のステップＳ１１において、波長割当部３２ｆはＮＷ構成を次のように確認する。即ち、波長割当部３２ｆが、波長の割当要求（オーダ情報Ｄ１）に応じて、設備ＤＢ３４に記憶されているＮＷ構成情報を検索し、波長割当要求のＮＷ構成と同じＡ−Ｂ区間の光ファイバ１７によるＮＷ構成を確認する。
【００７５】
即ち、ステップＳ１２において、波長割当部３２ｆは、設備ＤＢ３４内に上記オーダ情報Ｄ１による波長割当要求のＮＷ構成と同じＮＷ構成の情報があるか否かを判定する。同じＮＷ構成があれば、後述のステップＳ１９へ進む。
【００７６】
同じＮＷ構成が無ければ、ステップＳ１３において、波長割当部３２ｆは、ベンダ波長管理情報Ｄ５からベンダ情報を取得する。このベンダ情報としては、ベンダの管理番号（＃ｘ）、使用可能な波長（ｎｍ）、この波長に対応する周波数（ＧＨｚ）がある。このベンダ情報が波長割当部３２ｆで取得される。なお、ベンダ波長管理情報Ｄ５は、ベンダから取得し、図示せぬ記憶部に保存しておくものである。
【００７７】
ステップＳ１４において、波長割当部３２ｆは、設備ＤＢ３４内のベンダ情報を上記ステップＳ１３で取得したベンダ情報（図４の設備ＤＢ３４内に枠で囲んで示す）で更新する。設備ＤＢ３４には、後述する転送装置管理、収容管理、波長管理及び帯域管理を行うための情報が記憶されている。
【００７８】
転送装置管理は、管理対象のビル内に設置された各種の転送装置（通信ユニット１６ａ，１６ｂ）を管理するものである。収容管理は、転送装置を構成する通信機器であるパッケージ（例えばＴＲＤ１３、ＭＵＸ／ＤＭＵＸ１４、ＲＯＡＤＭ１８）が収容されるユニット（例えば通信ユニット１６ａ，１６ｂ）、当該パッケージ、当該パッケージのポートを管理するものである。波長管理は、ベンダ毎のベンダ情報による波長を管理するものである。例えば、１５００ｎｍに対応する波長λ１を管理番号＃１で管理している。帯域管理は、光ファイバが１０ＧＨｚ等のどの帯域を使用中かを管理するものである。
【００７９】
ステップＳ１５において、波長割当部３２ｆは、転送装置への設定可能な波長決定を次のように行う。即ち、波長割当部３２ｆは、光ファイバ１７（図１）で接続される各ビル１１，１２の通信ユニット１６ａ，１６ｂに設定可能な波長を決定する。例えば、図１０に示す管理テーブル３２Ｔ３のように、ベンダＶ１は、波長１１ｆ，１２ｆ，１３ｆ，１４ｆ，１５ｆ，１６ｆ，１７ｆ，１８ｆが一定量の第１量ずつ大きくなる各波長に、１つずつ大きくなる管理番号＃１〜＃８を対応付けて管理している。ベンダＶ２は、波長が１１ｆ，１３ｆ，１５ｆ，１７ｆ，１９ｆ，２１ｆ，２３ｆ，２５ｆと第１量の２倍の第２量ずつ大きくなる各波長に、管理番号＃１〜＃８を対応付けて管理しているとする。
【００８０】
この場合、ベンダＶ１，Ｖ２が共通で使える波長は、破線枠で囲む波長が１１ｆ，１３ｆ，１５ｆ，１７ｆに対応する。そこで、波長割当部３２ｆは、通信ユニット１６ａ，１６ｂに共通に利用できる波長として、図１０の枠線内に示すように、波長が１１ｆ，１３ｆ，１５ｆ，１７ｆに対応し決定する。
【００８１】
次に、ステップＳ１６において、波長割当部３２ｆは、波長リソース集計を行う。即ち、光ファイバ１７に割り当て可能な波長として、上記決定された波長１１ｆ，１３ｆ，１５ｆ，１７ｆを割り当てるための集計を行う。
【００８２】
ステップＳ１７において、波長割当部３２ｆは、上記集計された波長１１ｆ，１３ｆ，１５ｆ，１７ｆに対して管理番号を次のように定義する。即ち、波長１１ｆに管理番号＃１を対応付け、波長１３ｆに管理番号＃２、波長１５ｆに管理番号＃３、波長１７ｆに管理番号＃４を対応付けて定義する。
【００８３】
ステップＳ１８において、波長割当部３２ｆは、上記定義した波長１１ｆ，１３ｆ，１５ｆ，１７ｆと管理番号＃１，＃２，＃３，＃４とを対応付けた対の情報（波長管理の情報）を、設備ＤＢ３４に書き込んで記憶又は上書きして更新する。その対の情報とは、設備ＤＢ３４内に枠で囲む波長管理の情報である。
【００８４】
次に、ステップＳ１９において、波長割当部３２ｆは、パス設定、即ち波長割当を次のように行う。即ち、波長割当部３２ｆは、上記オーダ情報Ｄ１による波長の割当要求時に、１つのパス（波長λ１）を要求された場合、設備ＤＢ３４から管理番号＃１の波長１１ｆ（＝波長λ１）を払い出し、この波長１１ｆを光ファイバ１７への割り当て候補とする。
【００８５】
次に、ステップＳ２０において、波長割当部３２ｆは、上記割り当て候補の波長１１ｆが光ファイバ１７に収容できるか否かを判定する。ここで、波長１１ｆが上記ステップＳ１９で新しく作られた管理番号＃１の波長１１ｆであれば収容可能なので、収容可能（割当可能）と判定される。
【００８６】
この場合、ステップＳ２１において、波長割当部３２ｆは、管理番号＃１の波長１１ｆの情報を通信ユニット１６ａ，１６ｂに設定して光ファイバ１７に割り当てることを決定する。この決定された管理番号＃１及び波長１１ｆの対の情報を使用することを設備ＤＢ３４に書き込む。
【００８７】
一方、上記ステップＳ２０において、上記割り当て候補の波長１１ｆが光ファイバ１７に収容できないと判定された場合、波長割当部３２ｆは、上記ステップＳ１９に戻って、設備ＤＢ３４から次の管理番号＃２の波長１３ｆ（図１０参照）を払い出し、この波長１３ｆを光ファイバ１７への割り当て候補とする。この後、ステップＳ２０において、波長割当部３２ｆが、その候補の波長が光ファイバ１７に収容できると判定されるまで、ステップＳ１９の処理を行う。
【００８８】
このような波長割当処理によって、図３のステップＳ６における波長管理部３２での光ファイバ１７への波長割り当てが決定される。ここでは、管理番号＃１の波長１１ｆの割り当てが決定されたとする。
【００８９】
次に、ステップＳ７において、波長管理部３２の設定指示部３２ｇ（図２）が、上記ステップＳ６で決定された波長１１ｆの管理番号＃１を含む設定指示情報Ｄ３（図２）を設定部３３（図１）へ出力する。但し、設定指示情報Ｄ３は管理番号＃１のみでもよい。
【００９０】
波長設定部３３は、波長管理部３２Ａから管理番号＃１が入力された際に、設備ＤＢ３４を参照して管理番号＃１に対応付けられた波長１１ｆを検索する。波長設定部３３は、その検索された波長１１ｆが、光ファイバ１７に割り当てられるように、Ａビル１１及びＢビル１２の通信ユニット１６ａ，１６ｂに波長１１ｆの情報を設定する。即ち、通信ユニット１６ａのＴＲＤ１３と、通信ユニット１６ｂのＭＵＸ／ＤＭＵＸ１４及びＲＯＡＤＭ１８とに波長１１ｆの情報を設定する。この設定によって、Ａ−Ｂ区間の光ファイバ１７に波長１１ｆが割り当てられ、この割り当てられた波長１１ｆの光信号で通信が可能となる。
【００９１】
＜実施形態の効果＞
本実施形態に係る光伝送システム３０による波長割当の効果について説明する。光伝送システム３０は、異なるベンダ仕様の各種の伝送装置（通信ユニット１６ａ，１６ｂ）を有する拠点間が光ファイバ１７で接続されて成るディスアグリゲーション型の光伝送システムである。この光伝送システム３０を次のような特徴構成とした。
【００９２】
（１）光伝送システム３０は、設備ＤＢ３４と、波長割当部３２ｆと、設定部３３とを備える構成とした。
設備ＤＢ３４は、少なくとも、光ファイバ１７に所定の光信号の波長が割り当てられたＮＷ構成の情報を記憶する。
【００９３】
波長割当部３２ｆは、拠点間の光ファイバ１７への波長割当要求時に、設備ＤＢ３４内に、当該波長割当要求によるＮＷ構成と同じＮＷ構成の情報が無い場合、ベンダの管理番号と、ベンダが使用可能な波長と、当該波長に対応付けられたベンダ情報を基に、異なるベンダで共通に使用可能な波長に管理番号を対応付け、当該管理番号が対応付けられた波長が光ファイバ１７に割り当て可能な場合に、当該管理番号で波長割当指示を行う。
【００９４】
設定部３３は、波長割当指示による波長が光ファイバ１７に割り当てられるように、光ファイバ１７の両拠点の伝送装置に波長情報の設定を行う。
【００９５】
この構成によれば、異なるベンダ仕様の各種の伝送装置を有する拠点間が光ファイバ１７で接続されて成るディスアグリゲーション型の光伝送システム３０において、その光ファイバ１７に要求された波長が割り当てられるように、光ファイバ１７の両拠点の伝送装置に容易に波長情報の設定を行うことができる。
【００９６】
（２）波長割当部３２ｆは、管理番号を対応付けた波長が光ファイバ１７に割り当て不可能な場合に、他の管理番号が対応付けられた波長が光ファイバ１７に割り当て可能か否かの判定を繰り返し、割り当て可能と判定された波長に対応付けられた管理番号で波長割当指示を行う構成とした。
【００９７】
この構成によれば、異なるベンダで共通に使用可能な、ある波長が光ファイバ１７に割り当て不可能な場合でも、異なるベンダで共通に使用可能な他の波長を光ファイバ１７に割り当てることができる。
【００９８】
その他、具体的な構成について、本発明の主旨を逸脱しない範囲で適宜変更が可能である。
【符号の説明】
【００９９】
１１  Ａビル
１２  Ｂビル
１３  ＴＲＤ
１４  ＭＵＸ／ＤＭＵＸ
１７  光ファイバ
１８  ＲＯＡＤＭ
３１  サービスオーダ取得部
３２  波長管理部
３３  波長設定部
３４  設備ＤＢ
３２ａ  情報取得部
３２ｂ  差分判定部
３２ｃ  計算部
３２ｄ  確定部
３２ｅ  収容可能判定部
３２ｆ  波長割当部
３２ｇ  設定指示部
３２ｈ  表示部
Ｄ１  サービスオーダ情報（オーダ情報）
Ｄ２  ＤＢ情報
Ｄ３  設定指示情報
【図１】
2020031310.tif 000003
【図２】
2020031310.tif 000004
【図３】
2020031310.tif 000005
【図４】
2020031310.tif 000006
【図５】
2020031310.tif 000007
【図６】
2020031310.tif 000008
【図７】
2020031310.tif 000009
【図８】
2020031310.tif 000010
【図９】
2020031310.tif 000011
【図１０】
2020031310.tif 000012